(57)【要約】【課題】破魔矢を、見栄え良く、自宅やオフィスに飾ることができる破魔矢の飾り用具の提供。【解決手段】破魔矢の飾り用具Ａは、破魔矢１の後部１１を把持部２１が把持し、下部が基台３に固定される木製の支柱２と、破魔矢１の前部１２を把持部４１が把持し、下部が木製の基台３に固定される木製の支柱４とを備え、軸杆１０を傷付けることなく、自宅やオフィス等に、見栄えが良い傾斜角で、破魔矢１を展示することができる。【選択図】　　　　図１
2004049328.tif 000002
【特許請求の範囲】
【請求項１】
下部が基台に固定されるか自立する柱状の支柱を有する破魔矢の飾り用具であって、
破魔矢の後部を把持する把持部を前記支柱の上部に形成し、前記破魔矢を所定の傾斜角度で展示することを特徴とする破魔矢の飾り用具。
【請求項２】
下部が基台に固定されるか自立する柱状の支柱を有する破魔矢の飾り用具であって、
破魔矢の後部が挿通する穴を有する遊嵌部を前記支柱の上部に形成し、前記破魔矢を所定の傾斜角度で展示することを特徴とする破魔矢の飾り用具。
【請求項３】
破魔矢の後部を把持する第１の把持部を上部に形成し、下部が基台に固定される第１の支柱と、
前記破魔矢の前部を把持する第２の把持部を上部に形成し、下部が前記基台に固定される第２の支柱とを備え、
水平を含む所定の傾斜角度で前記破魔矢を展示することを特徴とする破魔矢の飾り用具。
【請求項４】
破魔矢の後部が挿通する穴を有する遊嵌部を上部に形成し、下部が基台に固定される第１の支柱と、
高さが前記第１の支柱より低く設定され、前記破魔矢の前部を把持する把持部を上部に形成し、下部が前記基台に固定される第２の支柱とを備え、
所定の傾斜角度で前記破魔矢を展示することを特徴とする破魔矢の飾り用具。
【請求項５】
異なる半径の同心円で的が描かれ、壁面の所定の高さに固定または吊下される的板と、
前記的の中心に先部を臨ませた破魔矢の中央から後部を把持する把持部を先部に形成し、基部を的外縁に固定した支棒とを備え、
前記的の中心に前記破魔矢が当たった様な状態で前記破魔矢を展示することを特徴とする破魔矢の飾り用具。
【請求項６】
前記破魔矢の各部を把持する把持部は、弾性体であることを特徴とする請求項１、３、４、５の何れかに記載の破魔矢の飾り用具。
【請求項７】
前記基台に絵馬を展示するための展示台を設けたことを特徴とする請求項１、２、３、４、６の何れかに記載の破魔矢の飾り用具。
【発明の詳細な説明】
【０００１】
【発明の属する技術分野】
本発明は、初詣等で神社に参拝して購入した、破魔矢や絵馬を飾るための破魔矢の飾り用具に関する。
【０００２】
【従来の技術】
細長い軸杆の前端を矢じり状に成形し、後端に矢筈を装嵌し、後端の近傍に矢羽根を装着し、小型の絵馬、帯紙、鈴等を矢羽根の前側に取り付けた破魔矢が昔から厄除けの飾り物として神社で売られている。
また、干支の動物を描いた絵馬も同様に売られている。
【０００３】
【発明が解決しようとする課題】
通常、破魔矢や絵馬には、飾り台は付いていない。
このため、購入した破魔矢や絵馬を、見栄え良く、自宅やオフィスに飾ることは難しかった。
【０００４】
本発明の目的は、破魔矢を、見栄え良く、自宅やオフィスに飾ることができる破魔矢の飾り用具の提供にある。
【０００５】
【課題を解決するための手段】
［請求項１、６、７について］
破魔矢の飾り用具は、破魔矢の後部を把持する把持部を支柱の上部に形成している。
破魔矢の先を下に向け、後部を把持部が把持する様に破魔矢を展示する。なお、破魔矢の先が、破魔矢の飾り用具を置いている部材表面や基台に当接してもしなくても良い。
【０００６】
破魔矢の後部を把持する把持部の向きや支柱の高さを設定すれば、破魔矢を所定の傾斜角度で展示することができる。
なお、支柱は、下部が基台に固定される形式でも、自立する形式でも良い。
この破魔矢の飾り用具を用いることにより、見栄え良く、自宅やオフィス等に破魔矢を飾ることができる。
【０００７】
なお、ゴムやスポンジ等の弾性体で、支柱の上部の把持部を構成しても良い。
また、基台を採用した場合には、絵馬を展示するための展示台を基台に設けても良い。
【０００８】
［請求項２、７について］
破魔矢の飾り用具は、穴を有する遊嵌部を支柱の上部に形成している。
破魔矢の先を下に向けて遊嵌部の穴に嵌め込んで破魔矢を展示する。なお、滑らない様に、飾り用具を置いている部材表面や基台に破魔矢の先を当接させる。
【０００９】
破魔矢の後部が遊嵌する遊嵌部の穴の向きや支柱の高さを設定すれば、破魔矢を所定の傾斜角度（滑り落ちない程度の傾斜角度）で展示することができる。
なお、破魔矢の飾り用具は、自立する形式でも、下部が基台に固定される形式でもよい。
この破魔矢の飾り用具を用いることにより、見栄え良く、自宅やオフィス等に破魔矢を飾ることができる。
なお、基台を採用した場合には、絵馬を展示するための展示台を基台に設けても良い。
【００１０】
［請求項３、６、７について］
第１の支柱は、第１の把持部を上部に形成し、下部が基台に固定されている。
第２の支柱は、第２の把持部を上部に形成し、下部が基台に固定されている。
破魔矢の先を下に向け、第２の把持部で破魔矢の前部を把持し、第１の把持部で破魔矢の後部を把持させて破魔矢を展示する。
【００１１】
第１、第２の支柱の高さや、第１、第２の把持部の向きを設定すれば、水平を含む所定の傾斜角度で破魔矢を展示することができる。
この破魔矢の飾り用具を用いることにより、見栄え良く、自宅やオフィス等に破魔矢を飾ることができる。
なお、ゴムやスポンジ等の弾性体で、第１、第２の把持部を構成しても良い。
また、絵馬を展示するための展示台を基台に設けても良い。
【００１２】
［請求項４、６、７について］
第１の支柱は、穴を有する遊嵌部を上部に形成し、下部が基台に固定されている。
第２の支柱は、高さが第１の支柱より低く設定され、把持部を上部に形成し、下部が基台に固定されている。
【００１３】
先を下に向けて破魔矢を遊嵌部の穴に嵌め込み、把持部で破魔矢の前部を把持させて破魔矢を展示する。
第１、第２の支柱の高さや、把持部や穴の向きを設定すれば、所定の傾斜角度で破魔矢を展示することができる。
この破魔矢の飾り用具を用いることにより、見栄え良く、自宅やオフィス等に破魔矢を飾ることができる。
なお、ゴムやスポンジ等の弾性体で、把持部を構成しても良い。
また、絵馬を展示するための展示台を基台に設けても良い。
【００１４】
［請求項５、６について］
的板は、異なる半径の同心円で的が描かれ、壁面の所定の高さに固定または吊下される。
【００１５】
支棒は、把持部を先部に形成し、基部を的外縁に固定している。
破魔矢の先部を的の中心に臨ませ、破魔矢の中央から後部を把持部で把持させて破魔矢を展示する。
この破魔矢の飾り用具を用いることにより、的の中心に破魔矢が当たった様な状態で、自宅やオフィス等の壁面に見栄え良く破魔矢を飾ることができる。
なお、ゴムやスポンジ等の弾性体で、把持部を構成しても良い。
【００１６】
【発明の実施の形態】
本発明の第１実施例に係る破魔矢の飾り用具（請求項３、６、７に対応）を、図１に基づいて説明する。
破魔矢の飾り用具Ａは、破魔矢１の後部１１を把持部２１が把持し、下部が基台３に固定される木製の支柱２と、破魔矢１の前部１２を把持部４１が把持し、下部が木製の基台３に固定される木製の支柱４とを備える。
【００１７】
破魔矢１は、細長い軸杆１０の前端を矢じり状に成形し、後端に矢筈１３を装嵌し、後端の近傍に矢羽根１４を装着し、小型の絵馬１５、帯紙１６、鈴１７等を矢羽根１４の前側の軸杆１０に取り付けている。
この破魔矢１は、厄除け等の目的で購入する参拝者のために、年始めの時期に神社で用意している。
【００１８】
支柱２は、下部が基台３に固定され、２５度の傾斜角度を付けた略Ｕ字状の把持部２１（ゴム製）が上部に形成されている。
支柱４は、下部が基台３に固定され、２５度の傾斜角度を付けた略Ｕ字状の把持部４１（ゴム製）が上部に形成されている。
本実施例では、見栄えが良い２５度の傾斜角で破魔矢１が展示される様に、支柱２、４の高さと、支柱２−　支柱４間の距離とを設定している。
【００１９】
なお、５は、基台３に固定された展示台であり、Ｕ字状部５１に絵馬５０を立設状態に展示することが可能である。
【００２０】
本実施例の破魔矢の飾り用具Ａは、以下の利点を有する。
〔ア〕破魔矢１の前端を下に向けた状態にして、後部１１、前部１２を把持部２１、４１に嵌め込んで把持させることにより、見栄えが良い２５度の傾斜角で、自宅やオフィス等に破魔矢１を展示することができる。
【００２１】
〔イ〕把持部２１、４１がゴムであるので把持性に優れ、破魔矢１が把持部２１、４１からずり落ちたり、軸杆１０が傷付いたりしない。
【００２２】
〔ウ〕基台３の展示台５に絵馬５０を立設状態に展示することができるので見栄えが良い。
【００２３】
つぎに、本発明の第２実施例に係る破魔矢の飾り用具（請求項１、６、７に対応）を、図２に基づいて説明する。
破魔矢の飾り用具Ｂは、略Ｕ字状の把持部６１を上部に設け、二股の下部が基台３に固定される木製の支柱６と、展示台５とを備える。
支柱６は、４０度の傾斜角で基台３に固定され、把持部６１内には破魔矢１の軸杆１０が嵌め込まれている。
【００２４】
なお、本実施例では、破魔矢１の前端が当接する位置の基台表面に半球体３１を配置し、矢じり状の前端を球体内壁面で受けている。
【００２５】
本実施例の破魔矢の飾り用具Ｂは、以下の利点を有する。
〔エ〕前端を下に向けた状態にして破魔矢１の軸杆１０を把持部６１内に嵌め込み、前端を球体内壁面に当接することにより、見栄えが良い５０度の傾斜角で、自宅やオフィス等に破魔矢１を展示することができる。
また、破魔矢の飾り用具Ａと同様に、基台３の展示台５に絵馬５０を立設状態に展示することができるので見栄えが良い。
【００２６】
つぎに、本発明の第３実施例に係る破魔矢の飾り用具Ｃ（請求項５、６に対応）を、図３に基づいて説明する。
【００２７】
破魔矢の飾り用具Ｃは、的板７と、破魔矢１を把持する支棒８とを備える。
的板７は、異なる半径の同心円７２、７３、７４で的７０が描かれ、壁面７１の所定の高さにネジ等で固定される。
【００２８】
支棒８は、破魔矢１の軸杆１０を直交状態に把持する把持部８１（ゴム製）を先部に形成し、的７０の中心に前端を臨ませた破魔矢１の略中央を把持する。
なお、支棒８の基部は的７０の外縁に固定されている。
【００２９】
本実施例の破魔矢の飾り用具Ｃは、以下の利点を有する。
〔オ〕的７０の中心に破魔矢１が当たった様な状態で、見栄え良く、自宅やオフィス等に破魔矢１を展示することができる。
【００３０】
〔カ〕把持部８１がゴムであるので把持性に優れ、破魔矢１が支棒８の把持部８１からずり落ちたり、軸杆１０が傷付いたりしない。
【００３１】
本発明は、上記実施例の他、以下の実施態様を含む。
ａ．第２実施例の破魔矢の飾り用具Ｂにおいて、破魔矢１の前端が、球体内壁面や基台３等に当接していなくても良い。
【００３２】
ｂ．破魔矢の飾り用具は、破魔矢の後部が挿通する穴を有する遊嵌部を上部に形成し、下部が基台に固定される第１の支柱と、高さが第１の支柱より低く設定され、破魔矢の前部を把持する把持部を上部に形成し、下部が基台に固定される第２の支柱とを備え、所定の傾斜角度で破魔矢を展示する構成であっても良い（請求項４に対応）。
【００３３】
ｃ．破魔矢の飾り用具は、破魔矢の後部が挿通する穴を有する遊嵌部を支柱の上部に形成し、破魔矢を所定の傾斜角度で展示する構成であっても良い、なお、支柱は、下部が基台に固定されているか自立する（請求項２に対応）。
【００３４】
ｄ．把持部は、バネ等で破魔矢を把持する構成であっても良い（請求項１、３、４、５に対応）。
【００３５】
ｅ．第３実施例の破魔矢の飾り用具Ｃにおいて、絵馬１５を紐等でぶら下げる釘や、絵馬１５を置くための台を的板７に設けても良い。
【図面の簡単な説明】
【図１】本発明の第１実施例に係る破魔矢の飾り用具の構造を示す説明図である。
【図２】本発明の第２実施例に係る破魔矢の飾り用具の構造を示す説明図である。
【図３】本発明の第３実施例に係る破魔矢の飾り用具の構造を示す説明図である。
【符号の説明】
Ａ〜Ｃ　飾り用具
１　破魔矢
２　支柱（第１の支柱）
３　基台
４　支柱（第２の支柱）
６　支柱
７　的板
８　支棒
１１　後部
２１　把持部（第１の把持部）
４１　把持部（第２の把持部）
５　展示台
７０　的
７１　壁面
８１　把持部
【図１】
2004049328.tif 000003
【図２】
2004049328.tif 000004
【図３】
2004049328.tif 000005